【手続補正書】
【提出日】平成26年11月21日(2014.11.21)
【手続補正１】
【補正対象書類名】明細書
【補正対象項目名】００９７
【補正方法】変更
【補正の内容】
【００９７】
例えば１つ前のフレームのNR画像を基準画像aとし、注目フレームの入力画像を参照画像Ａとし、動き予測および動き補償が行われる（ステップＳ１１−１）。これにより動き補償画像９６−１が生成される。そして、基準画像ａとその動き補償画像９６−１を用いて、加算判定処理が行われる（ステップＳ１２−１）。これにより、加算判定マップ９７−１が生成される。次に、その加算判定マップ９７−１に従って、基準画像ａと動き補償画像９６−１との加算平均が算出される（ステップＳ１３−１）。これにより、NR画像９８−１が生成され、出力される。このNR画像９８−１は、基準画像ｂとして、次のフレームに対するNR処理に利用される。
【手続補正２】
【補正対象書類名】明細書
【補正対象項目名】００９８
【補正方法】変更
【補正の内容】
【００９８】
注目フレームが次のフレームに遷移すると、注目フレームの入力画像を参照画像Ｂとし、その参照画像Ｂと基準画像ｂとを用いて動き予測および動き補償が行われる（ステップＳ１１−２）。これにより動き補償画像９６−２が生成される。そして、基準画像ｂとその動き補償画像９６−２を用いて、加算判定処理が行われる（ステップＳ１２−２）。これにより、加算判定マップ９７−２が生成される。次に、その加算判定マップ９７−２に従って、基準画像ｂと動き補償画像９６−２との加算平均が算出される（ステップＳ１３−２）。これにより、NR画像９８−２が生成され、出力される。このNR画像９８−２は、基準画像ｃとして、次のフレームに対するNR処理に利用される。
【手続補正３】
【補正対象書類名】明細書
【補正対象項目名】００９９
【補正方法】変更
【補正の内容】
【００９９】
注目フレームが次のフレームに遷移すると、注目フレームの入力画像を参照画像Ｃとし、その参照画像Ｃと基準画像ｃとを用いて動き予測および動き補償が行われる（ステップＳ１１−３）。これにより動き補償画像９６−３が生成される。そして、基準画像ｃとその動き補償画像９６−３を用いて、加算判定処理が行われる（ステップＳ１２−３）。これにより、加算判定マップ９７−３が生成される。次に、その加算判定マップ９７−３に従って、基準画像ｃと動き補償画像９６−３との加算平均が算出される（ステップＳ１３−３）。これにより、NR画像９８−３が生成され、出力される。
【手続補正４】
【補正対象書類名】明細書
【補正対象項目名】０１０８
【補正方法】変更
【補正の内容】
【０１０８】
現像部１０２は、現像部５２と基本的に同様の処理部であり、供給されたRAW画像（単視点画像データ）に対して現像処理を行い、処理結果を、自身に対応する補正部１０３に供給する。補正部１０３は、補正部５３と基本的に同様の処理部であり、供給された画像（単視点画像データ）に対して補正処理を行い、処理結果を、SR部１０４に供給する。
【手続補正５】
【補正対象書類名】明細書
【補正対象項目名】０１２７
【補正方法】変更
【補正の内容】
【０１２７】
減算部１１７は、この入力信号から微分信号を減算することにより、図１６の上から３段目に示されるような右眼用画像信号を生成する。この場合、右眼用画像信号は、入力信号と比較して、高輝度領域の位置が右にシフトしている。
【手続補正６】
【補正対象書類名】明細書
【補正対象項目名】０１５２
【補正方法】変更
【補正の内容】
【０１５２】
［SR部］
例えば、SR部１０４においては、図４を参照して説明したように、視点Ｒ画像と視点Ｌ画像とのそれぞれについて超解像処理を行い、それぞれの超解像処理において、両画像間のディスパリティの検出が行われる。そこで、このディスパリティの検出を視点毎の超解像処理において共通化するようにしてもよい。
【手続補正７】
【補正対象書類名】明細書
【補正対象項目名】０１７６
【補正方法】変更
【補正の内容】
【０１７６】
図２４は、画像処理装置の主な構成例を示すブロック図である。図２４に示される画像処理装置１７０は、基本的に、画像処理装置１６０と同様の装置である。画像処理装置１７０は、画像処理装置１６０の構成に加え、セレクタ１７７を有する。
【手続補正８】
【補正対象書類名】明細書
【補正対象項目名】０１９６
【補正方法】変更
【補正の内容】
【０１９６】
［画像処理装置］
以上においてはディスパリティ検出処理を共通化するように説明したが、それ以外にも、例えば、ノイズリダクション処理において行われる動き検出処理を共通化するようにしてもよい。上述したように、ノイズリダクション処理は、各視点の画像に対してそれぞれ行われる。つまり、多視点画像を処理対象とする場合、ノイズリダクション処理は複数回繰り返される。その場合、ノイズリダクション処理において行われる動き検出が、複数回行われることになり、冗長である。したがって、この動き検出を、各視点共通の処理とすることにより、負荷の増大を抑制することができる。
【手続補正９】
【補正対象書類名】明細書
【補正対象項目名】０１９７
【補正方法】変更
【補正の内容】
【０１９７】
図２８は、この場合の画像処理装置の主な構成例を示すブロック図である。図２８に示される画像処理装置２５０は、基本的に画像処理装置１００と同様の構成を有するが、NR部１０５−１の代わりにNR部２５５−１を有し、NR部１０５−２の代わりにNR部２５５−２を有する。また、画像処理装置２５０は、動き検出部２５１を有する。以下において、NR部２５５−１およびNR部２５５−２を互いに区別する必要が無い場合、単にNR部２５５と称する。
【手続補正１０】
【補正対象書類名】明細書
【補正対象項目名】０２００
【補正方法】変更
【補正の内容】
【０２００】
NR部２５５−２は、視点Ｌ画像に対してノイズリダクション処理を行う。このNR部２５５−２にも、動き検出部２５１の出力（動きベクトル）が供給される。つまりNR部２５５−２も、この動きベクトルを用いて参照画像の動き補償を行い、その動き補償結果を用いて加算判定や加算処理を行う。
【手続補正１１】
【補正対象書類名】明細書
【補正対象項目名】０２１９
【補正方法】変更
【補正の内容】
【０２１９】
NRSR処理画像バッファ３２５は、供給されたNRSR処理画像を記憶する。また、NRSR処理画像バッファ３２５は、所定のタイミングにおいて、若しくは、他からの要求に従って、自身が記憶しているNRSR処理画像を出力する。また、NRSR処理画像バッファ３２５は、所定のタイミングにおいて、若しくは、他からの要求に従って、自身が記憶しているNRSR処理画像を初期画像として初期画像バッファ３２６に供給し、記憶させる。
【手続補正１２】
【補正対象書類名】明細書
【補正対象項目名】０３３２
【補正方法】変更
【補正の内容】
【０３３２】
ステップＳ６０９において、出力する全ての視点の画像が処理されたと判定した場合、視点順次読み出し部６０２は、処理をステップＳ６１０に進める。
【手続補正１３】
【補正対象書類名】明細書
【補正対象項目名】０３５１
【補正方法】変更
【補正の内容】
【０３５１】
＜３．第３の実施の形態＞
［パーソナルコンピュータ］
上述した一連の処理は、ハードウエアにより実行させることもできるし、ソフトウエアにより実行させることもできる。この場合、例えば、一連の処理は図４５に示されるようなパーソナルコンピュータとして構成されるようにしてもよい。